【手続補正書】
【提出日】平成24年8月3日(2012.8.3)
【手続補正１】
【補正対象書類名】特許請求の範囲
【補正対象項目名】全文
【補正方法】変更
【補正の内容】
【特許請求の範囲】
【請求項１】
記録材を吐出する複数の記録素子が配列された複数の記録素子列を並行に配置した記録ヘッドを用いて記録媒体上に画像を記録する記録装置のための情報処理装置であって、
前記複数の記録素子列のうち、基準の記録素子列について、前記基準の記録素子列により記録される前記記録材の着弾位置のずれ情報を取得するずれ情報取得手段と、
前記ずれ情報に応じて、前記複数の記録素子列の各々に対する前記記録材の分配率を設定する設定手段と
を有することを特徴とする情報処理装置。
【請求項２】
前記設定手段は、前記配置した記録素子列のうち、前記基準の記録素子列に対して、前記記録材の着弾位置のずれ量における最大値が最も大きい記録素子列の前記分配率を最も小さく設定することを特徴とする請求項１に記載の情報処理装置。
【請求項３】
前記設定手段は、前記配置した記録素子列のうち、前記基準の記録素子列に対して、前記記録材の着弾位置のずれ量における最大値が小さい記録素子列ほど、前記分配率を大きく設定することを特徴とする請求項１に記載の情報処理装置。
【請求項４】
前記記録ヘッドを用いて印字したテストパターンの濃度データを取得する濃度データ取得手段と、
前記濃度データに基づいて、前記記録ヘッドと前記記録媒体との位置変動の周期を算出する周期算出手段と、
前記周期算出手段で算出された前記位置変動の周期に基づいて、前記記録素子列間の前記記録材の着弾位置のずれ量を算出するずれ量算出手段と
を更に有し、
前記設定手段は、前記配置した記録素子列のうち、前記基準の記録素子列に対して、前記記録材の着弾位置のずれ量における最大値が最も小さい記録素子列の前記分配率を２番目に大きく設定することを特徴とする請求項１に記載の情報処理装置。
【請求項５】
前記記録ヘッドを用いて印字したテストパターンの濃度データを取得する濃度データ取得手段と、
前記濃度データに基づいて、前記記録ヘッドと前記記録媒体との位置変動の周期を算出する周期算出手段と、
前記周期算出手段で算出された前記位置変動の周期に基づいて、前記記録素子列間の前記記録材の着弾位置のずれ量を算出するずれ量算出手段と
を更に有し、
前記設定手段は、前記配置した記録素子列のうち、前記基準の記録素子列に対して、前記記録材の着弾位置のずれ量における最大値が最も大きい記録素子列の前記分配率を最も小さく設定することを特徴とする請求項１に記載の情報処理装置。
【請求項６】
前記記録ヘッドを用いて印字したテストパターンの濃度データを取得する濃度データ取得手段と、
前記濃度データに基づいて、前記記録ヘッドと前記記録媒体との位置変動の周期を算出する周期算出手段と、
前記周期算出手段で算出された前記位置変動の周期に基づいて、前記記録素子列間の前記記録材の着弾位置のずれ量を算出するずれ量算出手段と
を更に有し、
前記設定手段は、前記配置した記録素子列のうち、前記基準の記録素子列に対して、前記記録材の着弾位置のずれ量における最大値が小さい記録素子列ほど、前記分配率を大きく設定する設定ことを特徴とする請求項１に記載の情報処理装置。
【請求項７】
前記記録ヘッドは、前記複数の記録素子列の各々がつなぎ部でオーバーラップするように配置され、
前記設定手段は、前記配置した記録素子列のうち、前記オーバーラップの部分における前記基準の記録素子列に対して、前記記録材の着弾位置のずれ量における最大値が最も小さい記録素子列の前記オーバーラップの部分における前記分配率を２番目に大きく設定することを特徴とする請求項１に記載の情報処理装置。
【請求項８】
前記記録ヘッドは、前記複数の記録素子列の各々がつなぎ部でオーバーラップするように配置され、
前記設定手段は、前記配置した記録素子列のうち、前記オーバーラップの部分における前記基準の記録素子列に対して、前記記録材の着弾位置のずれ量における最大値が最も大きい記録素子列の前記オーバーラップの部分における前記分配率を最も小さく設定することを特徴とする請求項１に記載の情報処理装置。
【請求項９】
前記記録ヘッドは、前記複数の記録素子列の各々がつなぎ部でオーバーラップするように配置され、
前記設定手段は、前記配置した記録素子列のうち、前記オーバーラップの部分における前記基準の記録素子列に対して、前記記録材の着弾位置のずれ量における最大値が小さい記録素子列ほど、前記オーバーラップの部分における前記分配率を大きく設定することを特徴とする請求項１に記載の情報処理装置。
【請求項１０】
前記記録ヘッドを用いて印字したテストパターンの濃度データを取得する濃度データ取得手段と、
前記濃度データに基づいて、前記記録ヘッドと前記記録媒体との位置変動の周期を算出する周期算出手段と、
前記周期算出手段で算出された前記位置変動の周期に基づいて、前記記録素子列間の前記記録材の着弾位置のずれ量を算出するずれ量算出手段と
を更に有し、
前記設定手段は、前記配置した記録素子列のうち、前記基準の記録素子列に対して、前記記録材の着弾位置のずれ量における最大値が最も小さい記録素子列の前記オーバーラップの部分における前記分配率を２番目に大きく設定することを特徴とする請求項７に記載の情報処理装置。
【請求項１１】
前記記録ヘッドを用いて印字したテストパターンの濃度データを取得する濃度データ取得手段と、
前記濃度データに基づいて、前記記録ヘッドと前記記録媒体との位置変動の周期を算出する周期算出手段と、
前記周期算出手段で算出された前記位置変動の周期に基づいて、前記記録素子列間の前記記録材の着弾位置のずれ量を算出するずれ量算出手段と
を更に有し、
前記設定手段は、前記配置した記録素子列のうち、前記基準の記録素子列に対して、前記記録材の着弾位置のずれ量における最大値が最も大きい記録素子列の前記オーバーラップの部分における前記分配率を最も小さく設定することを特徴とする請求項８に記載の情報処理装置。
【請求項１２】
前記記録ヘッドを用いて印字したテストパターンの濃度データを取得する濃度データ取得手段と、
前記濃度データに基づいて、前記記録ヘッドと前記記録媒体との位置変動の周期を算出する周期算出手段と、
前記周期算出手段で算出された前記位置変動の周期に基づいて、前記記録素子列間の前記記録材の着弾位置のずれ量を算出するずれ量算出手段と
を更に有し、
前記設定手段は、前記配置した記録素子列のうち、前記基準の記録素子列に対して、前記記録材の着弾位置のずれ量における最大値が小さい記録素子列ほど、前記オーバーラップの部分における前記分配率を大きく設定することを特徴とする請求項９に記載の情報処理装置。
【請求項１３】
前記記録ヘッドは、前記記録媒体の全幅に渡る範囲に前記記録材を吐出するフルラインタイプの記録ヘッドであることを特徴とする請求項１に記載の情報処理装置。
【請求項１４】
前記記録ヘッドは、当該記録ヘッドを前記記録媒体に対して走査しつつ前記記録媒体を搬送して前記画像を記録するシリアルタイプの記録ヘッドであることを特徴とする請求項１に記載の情報処理装置。
【請求項１５】
記録材を吐出する複数の記録素子が配列された複数の記録素子列を並行に配置した記録ヘッドを用いて記録媒体上に画像を記録する記録装置のための情報処理方法であって、
前記複数の記録素子列のうち、基準の記録素子列について、前記基準の記録素子列により記録される前記記録材の着弾位置のずれ情報を取得するずれ情報取得ステップと、
前記ずれ情報に応じて、前記複数の記録素子列の各々に対する前記記録材の分配率を設定する設定ステップと
を有することを特徴とする情報処理方法。
【請求項１６】
コンピュータを、請求項１乃至１４のいずれか１項に記載の情報処理装置の各手段として機能させることを特徴とするプログラム。
【手続補正２】
【補正対象書類名】明細書
【補正対象項目名】発明の名称
【補正方法】変更
【補正の内容】
【発明の名称】情報処理装置、情報処理方法及びプログラム
【手続補正３】
【補正対象書類名】明細書
【補正対象項目名】０００１
【補正方法】変更
【補正の内容】
【０００１】
本発明は、記録ヘッドを用いて記録媒体上に画像（記録像）を記録する記録装置のための情報処理に関する。
【手続補正４】
【補正対象書類名】明細書
【補正対象項目名】００２０
【補正方法】変更
【補正の内容】
【００２０】
本発明に係る情報処理装置は、記録材を吐出する複数の記録素子が配列された複数の記録素子列を並行に配置した記録ヘッドを用いて記録媒体上に画像を記録する記録装置のための情報処理装置であって、前記複数の記録素子列のうち、基準の記録素子列について、前記基準の記録素子列により記録される前記記録材の着弾位置のずれ情報を取得するずれ情報取得手段と、前記ずれ情報に応じて、前記複数の記録素子列の各々に対する前記記録材の分配率を設定する設定手段とを有する。